(57)【要約】【課題】この発明は、紙葉類処理システムにおける紙葉類処理装置の処理データに対するテラーＰＣでの集計処理が容易になる。【解決手段】この発明は、テラーＰＣ１は、オペレータによる指定に基づいて各集積部及び各施封部の紙葉類の種類及び方向を設定し、紙葉類処理機へ通知する。紙葉類処理機は、テラーＰＣ１からの通知に基づいて各集積部及び各施封部を設定し、上記設定に基づいて各紙葉類の表裏反転あるいは天地反転等を行って１種類の紙葉類につき１方向から４方向の区分け集積を行うようにしたものである。【選択図】    図１
2005004526.tif 000002
【特許請求の範囲】
【請求項１】
複数種類の紙葉類を区分して複数の集積手段に集積する紙葉類処理装置において、
前記各集積手段に集積する紙葉類の種類及び集積方向を指定する指定手段と、
この指定手段による指定内容に基づいて前記各集積手段に集積する紙葉類の種類及び集積方向を設定する設定手段と、
複数の紙葉類を１つずつ取り込む取込手段と、
この取込手段により取り込まれた紙葉類を検査する検査手段と、
この検査手段による検査結果と前記設定手段による設定内容とに基づいて、少なくとも当該紙葉類の種類と一致する種類が設定されている集積手段を判断する判断手段と、
この判断手段により判断した集積手段の集積方向と当該紙葉類の方向が一致していない場合、当該紙葉類の方向が当該集積手段の集積方向と一致するように当該紙葉類の方向を反転させる反転手段と、
この反転手段により方向を反転させた紙葉類あるいは前記判断手段により判断した集積手段の集積方向と一致する方向の紙葉類を前記判断手段により判断した集積手段に集積する制御手段と、
この制御手段による各集積手段への集積結果と前記設定手段により設定した各集積手段の設定内容とに基づいて処理結果を集計する集計手段と、
を具備することを特徴とする紙葉類処理装置。
【請求項２】
前記集計手段は、前記設定手段により１つの種類の紙葉類に対して１つの集積手段のみが設定されている場合、当該集積手段に集積されている紙葉類の数をその種類の紙葉類の処理数として集計する、ことを特徴とする前記請求項１に記載の紙葉類処理装置。
【請求項３】
前記指定手段は、前記各集積手段に集積する紙葉類の種類を指定し、
前記設定手段は、前記指定手段により１つの種類の紙葉類に対して指定された集積手段の数に基づいて、各集積手段に集積する紙葉類の種類及び集積方向を設定する、ことを特徴とする前記請求項１に記載の紙葉類処理装置。
【請求項４】
前記反転手段は、紙葉類の搬送方向に対する向きと表裏とを反転させるスイッチバック機構と紙葉類の表裏を反転させる反転機構とからなり、４つの方向の紙葉類を所望の１方向に反転する、ことを特徴とする前記請求項１に記載の紙葉類処理装置。
【請求項５】
複数の紙葉類を１つずつ取り込む取込手段と、この取込手段により取り込まれた紙葉類を検査する検査手段と、この検査手段により検査した紙葉類の方向を所望の方向に反転させる反転手段とを具備し、複数種類の紙葉類を区分して複数の集積手段に集積する紙葉類処理装置に用いられるデータ集計方法であって、
前記各集積手段に集積する紙葉類の種類及び集積方向を指定し、
この指定による指定内容に基づいて各集積手段に集積する紙葉類の種類及び集積方向を設定し、
前記取込手段により取り込んだ紙葉類を前記検査手段により検査し、
前記検査手段による検査結果と前記各集積手段の設定内容とに基づいて、少なくとも当該紙葉類の種類と一致する種類が設定されている集積手段を判断し、
この判断により判断した集積手段に設定されている集積方向と当該紙葉類の方向が一致していない場合、前記反転手段により当該紙葉類の方向が当該集積手段の集積方向と一致するように当該紙葉類の方向を反転させ、
前記反転手段により方向を反転させた紙葉類あるいは前記判断により判断した集積手段に設定されている集積方向と一致する方向の紙葉類を前記判断により判断した集積手段に集積し、
前記各集積手段への集積結果と前記各集積手段の設定内容とに基づいて処理結果を集計する、
ことを特徴とする紙葉類処理装置のデータ集計方法。
【請求項６】
前記設定により１つの種類の紙葉類に対して１つの集積手段のみが設定されている場合、当該集積手段に集積されている紙葉類の数をその種類の紙葉類の処理数として集計する、ことを特徴とする前記請求項５に記載の紙葉類処理装置のデータ集計方法。
【請求項７】
前記各集積手段に集積する紙葉類の種類のみを指定し、
この指定により１つの種類の紙葉類に対して指定された集積手段の数に基づいて、前記各集積手段に集積する紙葉類の種類及び集積方向を設定する、ことを特徴とする前記請求項５に記載の紙葉類処理装置のデータ集計方法。
【発明の詳細な説明】
【０００１】
【発明の属する技術分野】
この発明は、例えば、複数の紙葉類を１枚ずつ取り込んで検査し、その検査結果に基づいて各紙葉類を複数の集積場所に区分集積する紙葉類処理装置、及び紙葉類処理装置のデータ集計方法に関する。
【０００２】
【従来の技術】
従来、複数の種類の紙葉類を処理する紙葉類処理機では、投入された未検査の紙葉類を区分集積する場合、真偽判定により、真券と判断された紙葉類をその種類ごとに区分集積するようになっている。従来の紙葉類処理機には、紙葉類の表裏を反転させる表裏反転機能を持つものがある。このような紙葉類処理機では、紙葉類が任意の方向で投入された場合、紙葉類の表裏を反転することはできるが、天地（上下）方向は反転することができない。例えば、矩形の紙葉類を短手搬送（あるいは長手搬送）する場合、紙葉類の方向は、表裏と上下との組み合わせにより４方向である。
【０００３】
すなわち、従来の紙葉類処理機では、４方向の方向で投入された紙葉類に対して、表裏まで揃えることは可能だが、天地方向は揃えられない。このため、従来の紙葉類処理機では、各種類ごとに方向を揃えて複数の集積場所に集積する場合、各種類に対して最低２個の集積場所が必要である。更に、上記のような紙葉類処理機とその紙葉類処理機の上位装置としての外部コンピュータ（テラーマシーン）とからなる紙葉類処理システムでは、上記外部コンピュータが１種類の紙葉類に対して２つ以上の集積場所を指定したり、紙葉類処理機での集積場所ごとの処理データを合算して集計したりする必要があるという問題点がある。
【０００４】
【発明が解決しようとする課題】
上記したように、複数種類の紙葉類を区分集積する場合に、１つの種類に対して複数の集積場所が必要であったり、データの集計処理が煩雑になったりするという問題点を解決するもので、複数種類の紙葉類を区分集積する場合であっても、１つの種類の紙葉類に対して複数の集積場所が不要であり、データの集計処理を簡単にすることができる紙葉類処理装置、及び紙葉類処理装置のデータ集計方法を提供することを目的とする。
【０００５】
【課題を解決するための手段】
この発明の紙葉類処理装置は、複数種類の紙葉類を区分して複数の集積手段に集積するものにおいて、前記各集積手段に集積する紙葉類の種類及び集積方向を指定する指定手段と、この指定手段による指定内容に基づいて前記各集積手段に集積する紙葉類の種類及び集積方向を設定する設定手段と、複数の紙葉類を１つずつ取り込む取込手段と、この取込手段により取り込まれた紙葉類を検査する検査手段と、この検査手段による検査結果と前記設定手段による設定内容とに基づいて、少なくとも当該紙葉類の種類と一致する種類が設定されている集積手段を判断する判断手段と、この判断手段により判断した集積手段の集積方向と当該紙葉類の方向が一致していない場合、当該紙葉類の方向が当該集積手段の集積方向と一致するように当該紙葉類の方向を反転させる反転手段と、この反転手段により方向を反転させた紙葉類あるいは前記判断手段により判断した集積手段の集積方向と一致する方向の紙葉類を前記判断手段により判断した集積手段に集積する制御手段と、この制御手段による各集積手段への集積結果と前記設定手段により設定した各集積手段の設定内容とに基づいて処理結果を集計する集計手段とから構成されている。
【０００６】
この発明の紙葉類処理装置のデータ集計方法は、前記紙葉類処理装置は、複数の紙葉類を１つずつ取り込む取込手段と、この取込手段により取り込まれた紙葉類を検査する検査手段と、この検査手段により検査した紙葉類の方向を所望の方向に反転させる反転手段とを具備し、複数種類の紙葉類を区分して複数の集積手段に集積する紙葉類処理装置に用いられる方法であって、前記各集積手段に集積する紙葉類の種類及び集積方向を指定し、この指定による指定内容に基づいて前記各集積手段に集積する紙葉類の種類及び集積方向を設定し、前記取込手段により取り込んだ紙葉類を前記検査手段により検査し、前記検査手段による検査結果と前記各集積手段の設定内容とに基づいて、少なくとも当該紙葉類の種類と一致する種類が設定されている集積手段を判断し、この判断により判断した集積手段に設定されている集積方向と当該紙葉類の方向が一致していない場合、前記反転手段により当該紙葉類の方向が当該集積手段の集積方向と一致するように、当該紙葉類の方向を反転させ、前記反転手段により方向を反転させた紙葉類、あるいは、前記判断により判断した集積手段に設定されている集積方向と一致する方向の紙葉類を前記判断により判断した集積手段に集積し、前記各集積手段への集積結果と前記各集積手段の設定内容とに基づいて処理結果を集計することを特徴とする。
【０００７】
【発明の実施の形態】
以下、この発明の実施の形態について図面を参照して説明する。
図１は、この発明の実施の形態に係る紙葉類処理システム（紙葉類処理装置）の全体構成を示す図である。
図１に示すように、紙葉類処理システムは、テラーＰＣ１及び紙葉類処理機２本体から構成されている。上記テラーＰＣ１と上記紙葉類処理機２とは、例えば、ＵＳＢケーブルなどの通信手段により接続されている。上記紙葉類処理機２は、例えば、紙幣などの紙葉類を処理対象として、紙葉類の真偽判定、集積、小帯施封などの処理を行うものである。上記テラーＰＣ１は、紙葉類処理機２を制御する外部コンピュータである。上記テラーＰＣ１は、処理する形態を紙葉類処理機２へ指示したり、紙葉類処理機２にて処理中のデータを表示したり、紙葉類処理機２での処理の結果を集計したり、処理データの照合などを行ったりするものである。
【０００８】
また、上記テラーＰＣ１本体には、キーボード１１、マウス１２、タッチパネル内蔵のディスプレイ１３、及び無停電電源装置（ＵＰＳ）１４などが接続されている。上記キーボード１１及び上記マウス１２は、テラーＰＣ１の操作部として機能し、テラーＰＣ本体１にＰＳ／２インターフェースにより接続されている。また、上記キーボード１１には、バーコードハンドスキャナ１５が接続されている。上記バーコードハンドスキャナ１５は、バーコード印字されたシールを読み取るものである。
【０００９】
上記タッチパネル内蔵のディスプレイ１３は、表示部及び操作部として機能する。上記タッチパネル内蔵のディスプレイ１３は、上記テラーＰＣ本体１にＲＧＢケーブル及びシリアルケーブルなどにより接続されている。上記ＵＰＳ１４は、テラーＰＣ本体１へ供給される電源を安定化させるものである。上記ＵＰＳ１４は、シリアルケーブルなどにより上記テラーＰＣ１に接続されている。
【００１０】
次に、テラーＰＣ１の構成について詳細に説明する。
図２は、テラーＰＣ１の構成を示すブロック図である。
テラーＰＣ本体１は、中央演算処理装置（ＣＰＵ）２１、キーボードコントローラ２２、ＰＳ／２コントローラ２３、ディスプレイコントローラ２４、シルアルコントローラ２５、磁気ディスクコントローラ２６、磁気ディスク（ＨＤＤ）２７、フロッピーディスクコントローラ２８、フロッピーディスクドライブ（ＦＤＤ）２９、ＵＳＢコントローラ３０、シリアルコントローラ３１、ＬＡＮコントローラ３２、及び内部バス３３などを有している。
【００１１】
上記ＣＰＵ２１は、テラーＰＣ１全体の制御を司るものであり、各部の制御を行う。上記キーボードコントローラは、ＰＳ／２インターフェースなどにより上記キーボード１１が接続され、上記キーボード１１を制御するとともに上記キーボード１１により入力された情報をテラーＰＣ本体１に取り込むものである。上記ＰＳ／２コントローラ２３は、上記マウス１２が接続され、上記マウス１２を制御するとともに上記マウス１２により入力された情報をテラーＰＣ本体１に取り込むものである。
【００１２】
上記ディスプレイコントローラ２４は、ＲＧＢケーブルなどにより上記タッチパネル内蔵のディスプレイ１３に接続される。上記ディスプレイコントローラ２４は、上記ディスプレイ１３の動作を制御するとともに上記ディスプレイ１３に表示する表示内容を制御する。上記シリアルコントローラ２５は、シリアルケーブルにより上記タッチパネル内蔵のディスプレイ１３に接続される。上記シリアルコントローラ２５は、上記ディスプレイ１３に内蔵されているタッチパネルを制御するとともに上記タッチパネルにより入力された情報をテラーＰＣ本体１に取り込むものである。
【００１３】
上記磁気ディスクコントローラ２６には、磁気ディスク（ＨＤＤ）２７が接続される。上記磁気ディスクコントローラ２６は、上記ＨＤＤ２７への電子データの書込み、読取り、削除などの制御を行うものである。上記フロッピーディスクコントローラ２８は、フロッピーディスクドライブ（以下ＦＤＤ）２９が接続される。上記フロッピーディスクコントローラ２８は、上記ＦＤＤ２９への電子データの書込み、読取り、削除などの制御を行うものである。
【００１４】
上記ＵＳＢコントローラ３０は、ＵＳＢケーブル３を介して上記紙葉類処理機２に接続される。上記ＵＳＢコントローラ３０は、ＵＳＢケーブルを介した紙葉類処理機２とのデータ通信の制御を行う。上記シリアルコントローラ３１は、シリアルケーブルを介して接続された上記ＵＰＳ１４と接続される。上記ＬＡＮコントローラ３２は、ＬＡＮケーブルを介して接続される外部機器とのデータ通信を行うものである。上記内部バス３３は、テラーＰＣ本体１内の各部を接続するバスであり、上記ＣＰＵ２１は、上記内部バス３３によりテラーＰＣ本体１の各部に接続され、テラーＰＣ本体１内の各部の制御を行う。
【００１５】
次に、上記紙葉類処理機２の構成について詳細に説明する。
上記紙葉類処理機２は、メイン制御部４１、搬送制御部４２、施封制御部４３、及び検査制御部４４などを有している。上記メイン制御部４１には、ＵＳＢ制御部５１、収納制御部５２、及びカセット制御部５３などが接続されている。上記搬送制御部４２には、取込機構６１、整列部６２、スイッチバック機構６３、ムーンサルト機構６４などが接続されている。上記施封制御部４３には、施封部７１〜７４が接続されている。上記検査制御部４４には、真偽検知部８１、正損検知部８２などが接続されている。
【００１６】
上記メイン制御部４１は、本紙葉類処理機２全体の制御を司るものである。上記メイン制御部４１には、上記搬送制御部４２、上記施封制御部４３、上記検査制御部４４などが接続されている。例えば、上記メイン制御部４１、上記搬送制御部４２及び上記施封制御部４３は、デュアルポートメモリを介してデータの通信を行う。また、上記メイン制御部４１と上記検査制御部４４とは、ＡＲＣＮＥＴなどを介して接続され、データの通信を行う。上記メイン制御部４１は、上記ような接続関係により各部からのデータを授受することで紙葉類処理機２内の制御を司る。また、上記メイン制御部４１は、上記ＵＳＢ制御部５１を介してテラーＰＣ１ともデータ通信を行うことにより紙葉類処理機２内全体の制御を行う。
【００１７】
上記ＵＳＢ制御部５１は、ＵＳＢケーブルを介して上記テラーＰＣ１と接続され、上記メイン制御部４１とテラーＰＣ１とのデータ通信制御を行う。上記収納制御部５２及び上記カセット制御部５３は、紙葉類を集積する集積部５４Ａ〜５４Ｆに接続され、各集積部５４Ａ〜５４Ｆの制御を行うようになっている。
【００１８】
各集積部５４Ａ〜５４Ｆは、それぞれ一時集積庫、シャッタ及びカセット（何れも図示しない）などから構成されている。各集積部５４Ａ〜５４Ｆには、上記テラーＰＣ１での指定に基づいて集積すべき紙葉類の種類及び方向が設定される。また、上記集積部の数（設置数）は、処理目的などに応じて決められるものであるが、最大設置数には制約があり、例えば、最大６個の集積部が設置可能であるものとする。なお、本実施の形態では、６個の集積部５４Ａ〜５４Ｆが紙葉類処理装置２に設けられているものとして説明する。
【００１９】
また、上記各集積部５４Ａ〜５４Ｆでは、一時集積部に集積した紙葉類が満杯になると、それらの紙葉類をカセットに収納するようになっている。例えば、一時集積部には、３００枚の紙葉類が集積され、カセットには２０００枚の紙葉類が集積される。また、集積部５４Ａ〜５４Ｆのカセットの満杯が検知されると、メイン制御部４１は、当該カセットを交換する要求をテラーＰＣ１へ通知する。これにより、テラーＰＣ１では、当該カセットの交換をオペレータへ報知し、オペレータによる当該カセットの交換に基づいて逐次処理を継続するようになっている。
【００２０】
上記搬送制御部４２は、紙葉類処理機２内に処理対象として投入された紙葉類に対する搬送制御を行うものである。上記紙葉類処理機２内には図示しない搬送路や搬送ゲートなどの紙葉類を搬送するための種々の機構が設けられている。上記搬送制御部４２は、上記のような種々の機構を制御することにより紙葉類処理機２内の紙葉類の搬送を制御するものである。上記搬送制御部４２には、取込機構６１、整列部６２、スイッチバック機構６３、ムーンサルト機構６４などが接続されている。
【００２１】
上記取込機構６１は、上記取込部（図示しない）にセットされている複数の紙葉類を１枚ずつ取り込むものである。上記取込機構６１は、上記取込部にセットされている状態（方向）のまま、紙葉類を取り込んで搬送路へ供給する。上記取込部には処理対象となる種々の紙葉類が種々の方向でセットされる。例えば、紙葉類が矩形形状で、かつ、上記搬送路が紙葉類の短手搬送（又は長手搬送）する場合、上記取込部には、表裏方向（表裏）と天地方向（搬送方向に対する向き）との組み合わせからなる４方向の紙葉類がセットされる。従って、上記取込機構６１は、４方向の紙葉類を１枚ずつ取り込んで搬送路へ供給する。これにより、搬送路は４方向の紙葉類を搬送するようになっている。
【００２２】
上記整列部６２は、搬送路上の紙葉類を整列するものであり、搬送路上を搬送される紙葉類の搬送姿勢を整えるものである。上記スイッチバック機構６３及び上記ムーンサルト機構６４は、搬送路を搬送される紙葉類の向きを変える機構である。上記スイッチバック機構６３では、紙葉類の表裏方向と天地（上下）方向とを反転（逆転）させる。上記ムーンサルト機構６４は、紙葉類の表裏方向を反転（逆転）させるものである。すなわち、上記スイッチバック機構６３及び上記ムーンサルト機構６４により４方向の紙葉類は、所望の方向に反転することが可能となる。
【００２３】
ここで、矩形の紙葉類を短手搬送の場合、紙葉類の搬送方向は、「表面かつ上方向（表上）」、「表面かつ下方向（表下）」、「裏面かつ上方向（裏上）」、及び「裏面かつ下方向（裏下）」の４種類があるものとする。例えば、表上の紙葉類は、スイッチバック機構６３により裏下、ムーンサルト機構６４により裏上、スイッチバック機構とムーンサルト機構６４とにより表下に反転することができる。すなわち、上記スイッチバック機構６３及び上記ムーンサルト機構６４では、４方向の紙葉類をどの方向へも反転できるため、任意の向きの紙葉類を１方向にしたり、逆に、１方向の紙葉類を４方向にしたりすることもできる。
【００２４】
上記施封制御部４３は、例えば、１００枚などの所定の単位ごとに紙葉類を施封する施封部７１〜７４を制御するものである。各施封部７１〜７４は、集積庫及び施封機構（何れも図示しない）などから構成される。各施封部７１〜７４は、所定の単位枚数ごとの紙葉類に施封帯としての帯を巻きつけて施封し、機外へ順次排出するようになっている。また、各施封部７１〜７４には、各集積部５４Ａ〜５４Ｆと同様、上記テラーＰＣ１での指定に基づいて施封すべき紙葉類の種類及び方向が設定される。また、上記施封部の数（設置数）は、処理目的などに応じて決められるものであるが、最大設置数には制約があり、例えば、最大４個の施封部が設置可能であるものとする。なお、本実施の形態では、４個の施封部７１〜７４が紙葉類処理装置２に設けられているものとして説明する。
【００２５】
上記検査制御部４４は、真偽検知部８１及び正損検知部８２などに接続されている。上記検査制御部４４は、上記真偽検知部８１及び上記正損検知部８２の検知結果を上記メイン制御部４１へ送信するようになっている。これにより、上記メイン制御部４１は、各紙葉類の行先（搬送先）を決定する。
【００２６】
上記真偽検知部８１は、紙葉類の真偽を検知するものである。上記真偽検知部８１及び上記正損検知部８２は、例えば、透過センサ、反射センサ、磁気センサ、蛍光センサ、厚さセンサなどから構成される。上記真偽検知部８１及び上記正損検知部８２では、透過センサによる紙葉類の透過画像、反射センサによる紙葉類の反射画像、磁気センサによる紙葉類上の磁性インクの磁気特性、蛍光センサによる紙葉類上の蛍光成分、及び厚さセンサによる紙葉類の厚さなどの検知結果に基づいて、紙葉類に対する、真偽（真券か真券以外（偽造券を含む）か）、汚損度、形状、種類、方向などを検知する。
【００２７】
上記のような構成により、本紙葉類処理機２では、図示しない取込部に投入された紙葉類を１枚ずつ検査し、その検査結果に基づいて各紙葉類の種類及び方向ごとに各集積部５４Ａ〜５４Ｆあるいは施封部７１〜７４に搬送し、集積するようになっている。
【００２８】
次に、本紙葉類処理システムにおける紙葉類の処理の流れについて詳細に説明する。
まず、オペレータは、テラーＰＣ１にて紙葉類処理機２の動作モードを指定するとともに、各集積部５４Ａ〜５４Ｆ及び各施封部７１〜７４に集積すべき紙葉類の種類を指定する（ステップＳ１）。この際、１種類の紙葉類に対して、１つの各集積部５４Ａ〜５４Ｆ及び各施封部７１〜７４を指定しても良いし、複数指定しても良い。また、各各集積部５４Ａ〜５４Ｆ及び各施封部７１〜７４には、紙葉類の種類とともに集積する際の紙葉類の方向を指定するようにしても良い。
【００２９】
また、紙葉類の方向が指定されなければ、１種類の紙葉類に対して設定された集積部の数に基づいて各集積部の方向を決定するようにしても良い。１種類の紙葉類に対して１つの集積部のみが指定された場合、当該集積部は、その種類の紙葉類を１つの方向（例えば、表上方向）で集積するように設定される。
【００３０】
上記テラーＰＣ１にて動作モードや各集積部５４Ａ〜５４Ｆ及び各施封部７１〜７４に集積すべき紙葉類の種類などを指定したオペレータは、紙葉類処理機２の取込部（図示しない）に処理対象とする紙葉類をセットする。その後、オペレータは、上記テラーＰＣ１にて処理の開始を指示する。
【００３１】
すると、上記テラーＰＣ１は、オペレータにより指定された設定内容を紙葉類処理機２へ通知する（ステップＳ２）。この際、上記テラーＰＣ１は、紙葉類処理機２の各集積部５４Ａ〜５４Ｆ及び各施封部７１〜７４に集積すべき紙葉類の種類及び方向を指定する。これに対して、紙葉類処理機２のメイン制御部４１は、各集積部５４Ａ〜５４Ｆ及び各施封部７１〜７４に集積すべき紙葉類の種類及び方向を設定し（ステップＳ１１）、処理を開始する。
【００３２】
処理を開始すると、まず、紙葉類処理機２のメイン制御部４１は、取込機構６１により取込部（図示しない）にセットされている紙葉類を１枚ずつ取り込み（ステップＳ１２）、搬送路（図示しない）上へ供給する。搬送路上に取り込まれた紙葉類は、上記整列部６２により搬送姿勢などが整えられ、上記真偽検知部８１へ搬送される。上記真偽検知部８１では、種々のセンサを用いて搬送路上の紙葉類における種々の特徴量を検知し、当該紙葉類が真券か真券以外かを判定する。この際、紙葉類の種類及び方向も判定する（ステップＳ１３）。
【００３３】
上記判定により真券以外であると判定した場合（ステップＳ１４、ＮＯ）、当該紙葉類は、排除券とされ、排除券を集積する図示しない排除券集積部へ集積される（ステップＳ１５）。
【００３４】
また、上記判定により真券であると判定した場合、当該紙葉類は、正損検知部８２により汚損レベル（汚れの度合い）が判定される（ステップＳ１６）。これにより判定された当該紙葉類の汚損レベルが再使用可能なレベルでない場合（ステップＳ１７、ＮＯ）、当該紙葉類は、排除券とされ、上記排除券集積部へ集積される（ステップＳ１５）。
【００３５】
また、上記判定により判定された当該紙葉類の汚損レベルが再使用（最流通）可能なレベルである場合（ステップＳ１７、ＹＥＳ）、上記メイン制御部４１は、当該紙葉類の集積場所（各集積部５４Ａ〜５４Ｆあるいは各施封部７１〜７４）を判定する（ステップＳ１８）。なお、紙葉類が再使用可能か否かの判定は、当該紙葉類の汚損レベルがテラーＰＣ１から指定されるレベル以内か否かにより判定される。
【００３６】
再使用可能な紙葉類の集積場所の判定は、当該紙葉類の種類及び方向と、各集積部５４Ａ〜５４Ｆ及び各施封部７１〜７４の設定内容とに基づいて行われる。例えば、当該紙葉類の種類及び方向と一致する設定内容の集積場所（各集積部５４Ａ〜５４Ｆあるいは各施封部７１〜７４）が存在する場合、メイン制御部４１は、その場所を当該紙葉類の集積場所と判断する。
【００３７】
また、当該紙葉類の種類及び方向と一致する設定内容の集積場所が存在しない場合、種類が同じで方向が異なる集積場所を当該紙葉類の集積場所として判断する。また、種類が同じで方向が異なる集積場所が複数存在する場合、メイン制御部４１は、種類が同じで方向が異なる何れかの集積場所を当該紙葉類の集積場所と判断する。例えば、各集積場所の集積状況や当該紙葉類の方向を変更する際の動作の容易さなどに基づいて、当該紙葉類の集積場所を判断するようにすれば良い。
【００３８】
当該紙葉類の集積場所が決まると、当該紙葉類のスイッチバック（表裏及び天地反転）あるいは表裏反転が必要か否かを判断する（ステップＳ１９、Ｓ２１）。この判断によりスイッチバックが必要であると判断した場合（ステップＳ１９、ＹＥＳ）、当該紙葉類は、スイッチバック機構６３によりスイッチバックされて下流へ搬送される（ステップＳ２０）。また、当該紙葉類の表裏反転が必要であると判断した場合（ステップＳ２１、ＹＥＳ）、当該紙葉類は、ムーンサルト機構６４により表裏反転されて下流へ搬送される（ステップＳ２２）。
【００３９】
これにより、スイッチバックのみが必要な紙葉類は、スイッチバック機構６３によりスイッチバックされて所望の集積部あるいは施封部に集積される。また、表裏反転のみが必要な紙葉類は、ムーンサルト機構６４により表裏反転されて所望の集積部あるいは施封部に集積される。また、スイッチバック及び表裏反転が必要な紙葉類は、スイッチバック機構６３によりスイッチバックされ、さらに、ムーンサルト機構６４により表裏反転されて所望の集積部あるいは施封部に集積される。また、スイッチバック及び表裏反転が共に不必要な紙葉類は、そのままの状態で所望の集積部あるいは施封部に集積される（ステップＳ２３）。
【００４０】
上記のような動作が全ての紙葉類に対して実行され（ステップＳ２４）、各紙葉類は、設定内容に従って、種類と方向を揃えて集積部５４Ａ〜５４Ｆ、施封部７１〜７４、あるいは排除券集積部に集積される。全ての紙葉類に対する処理が完了すると（ステップＳ２４、ＹＥＳ）、上記メイン制御部４１は、各集積場所に集積された紙葉類の数などの処理データをテラーＰＣ１へ通知する（ステップＳ２５）。なお、ここでは、処理データは、各集積場所ごとの集積数として通知されるものとする。このような紙葉類処理機２からの処理データの通知を受けたテラーＰＣ１では、各種類ごとの紙葉類数などを集計する集計処理を行う（ステップＳ３１）。
【００４１】
上記のように、本紙葉類処理システムでは、オペレータは、テラーＰＣ１で処理内容として、各集積部あるいは各施封部に集積させる紙葉類の種類を指定する。また、テラーＰＣ１は、オペレータによる指定に基づいて各集積部及び各施封部の紙葉類の種類及び方向を設定し、紙葉類処理機へ通知する。また、紙葉類処理機は、テラーＰＣ１からの通知に基づいて各集積部及び各施封部を設定し、各紙葉類を検査し、上記設定に基づいて各紙葉類の表裏反転あるいは天地反転等の処理を行うことにより１種類の紙葉類につき１方向から４方向の区分け集積を行う。
【００４２】
これにより、本紙葉類処理システムでは、１種類の紙葉類に対して１方向の集積も可能であるため、紙葉類処理機からテラーＰＣへは１つの集積場所について１方向に揃えられたデータが集計されることになる。
【００４３】
すなわち、紙葉類処理機では、紙葉類の方向を揃えて各種類ごとに区分集積する必要があるが、従来の紙葉類処理機では４方向の紙葉類を１方向に揃えることができないため、１種類の紙葉類につき最低２集積場所に分かれて集積される。このため、従来の紙葉類処理システムでは、紙葉類処理機での処理データを紙葉類の種類ごとに集計する場合も、複数の集積場所に集積された紙葉類の数を合算して集計する必要があり、テラーＰＣでの集計処理が複雑になることがある。
【００４４】
これに対して本紙葉類処理システムでは、例えば、１種類の紙葉類に対して１つの集積場所のみが指定された場合には、その種の紙葉類は１つの集積場所にのみ集積されるため、テラーＰＣでの集計処理自体が必要でなくなる。このように、本紙葉類処理システムでは、設定内容と各集積場所に集積された紙葉類のデータに基づいて容易に処理データの集計ができる。
【００４５】
さらに、オペレータからの指示に応じて、４方向で投入される券をそのままの１方向づつ４つの集積場所で集積することも可能であり、施封部に集積される紙葉類も１方向に揃えることも可能である。このため、可用性が高い紙葉類処理システムを提供できる。
【００４６】
【発明の効果】
以上詳述したように、この発明によれば、複数種類の紙葉類を区分集積する場合であっても、１つの種類の紙葉類に対して複数の集積場所が不要であり、データの集計処理を簡単にすることができる紙葉類処理装置、及び紙葉類処理装置のデータ集計方法を提供できる。
【図面の簡単な説明】
【図１】この発明の実施の形態に係る紙葉類処理システムの概略構成を示す図。
【図２】テラーＰＣの概略構成を示すブロック図。
【図３】紙葉類処理機の概略構成を示すブロック図。
【図４】紙葉類処理システムの動作を説明するためのフローチャート。
【符号の説明】
１…テラーＰＣ、２…紙葉類処理機、３…ＵＳＢ、１１…キーボード（指定手段）、１２…マウス（指定手段）、１３…タッチパネル内蔵のディスプレイ（指定手段）、２１…中央演算処理装置、ＣＰＵ（集計手段、設定手段）、３０…ＵＳＢコントローラ、４１…メイン制御部（制御手段）、４２…搬送制御部（制御手段）、４４…検査制御部（検査手段）、５１…ＵＳＢ制御部、５４Ａ〜５４Ｆ…集積部（集積手段）、６１…取込機構（取込手段）、６３…スイッチバック機構（反転手段）、６４…ムーンサルト機構（反転手段）、７１〜７４…施封部（集積手段）
【図１】
2005004526.tif 000003
【図２】
2005004526.tif 000004
【図３】
2005004526.tif 000005
【図４】
2005004526.tif 000006